(57)【特許請求の範囲】
【請求項１】
マイクロ波共振器を用い、以下のステップＳ１からＳ６によって紙シートからなるサンプルの坪量及び水分量を算出する坪量・水分量測定方法。
（ステップＳ１）
サンプルがないときのマイクロ波共振器における共振周波数と共振ピークレベルを求めるステップ。
（ステップＳ２）
サンプルを測定したときの前記マイクロ波共振器における共振周波数と共振ピークレベルを求めるステップ。
（ステップＳ３）
ステップ１で求めた共振周波数からステップ２で求めた共振周波数との差として共振周波数シフト量Δｆを求めるステップ。
（ステップＳ４）
ステップＳ１で求めた共振ピークレベルからステップＳ２で求めた共振ピークレベルとの差としてピークレベル変化量ΔＰを求めるステップ。
（ステップＳ５）
以下の式を用いて、Ｖ１及びＶ２を求めるステップ。
Ｖ１＝（Δｆ・ε”２／Ｋｆ−ΔＰ・ε’２／Ｋｐ）/（ε’１・ε”２−ε”１・ε’２）
（３）
Ｖ２＝（Δｆ・ε”１／Ｋｆ−ΔＰ・ε’１／Ｋｐ）/（ε”１・ε’２−ε’１・ε”２）
（４）
（ステップＳ６）
以下の式を用いて、絶乾坪量及び水分量を求めるステップ。
絶乾坪量＝β・Ｖ１  （５）
水分量＝γ・Ｖ２    （６）
ここで、
Ｖ１：ある一定条件における絶乾の紙の体積、
Ｖ２：ある一定条件における水の体積、
Ｋｆ：ディメンジョンを合わせるための比例定数、
Ｋｐ：ディメンジョンを合わせるための比例定数、
ε’１：絶乾の紙の誘電率−１、
ε’２：水の誘電率、
ε”１：絶乾の紙の誘電損失率、
ε”２：水の誘電損失率、
β，γ：比例定数
であり、定数Ｋｆ、Ｋｐ、ε’１、ε’２、ε”１及びε”２は以下のステップＡ及びＢにより決定されたものであり、定数β，γは予め定められたものである。
（ステップＡ）坪量又は水分量の異なる複数の標準サンプルについて、前記マイクロ波共振器を用いた測定装置により前記ステップ1から４により共振周波数シフト量Δｆとピークレベル変化量ΔＰを測定する。
（ステップＢ）前記標準サンプルについて別途求められた絶乾坪量（ＢＤ）と水分量（ＷＴ）を用いて、Ｖ１＝ＢＤ／β、Ｖ２＝ＷＴ／γとし、ステップＡで得られたΔｆとΔＰを用い、上記（３），（４）式の関係においてＫｆ及びＫｐの分散値が所定値より小さくなるときのε’１、ε’２、ε”１及びε”２を求める。
【請求項２】
さらに、以下の式を用いて、風乾坪量及び水分率まで求める請求項１に記載の坪量・水分量測定方法。
風乾坪量＝絶乾坪量＋水分量
水分率＝水分量×１００/風乾坪量
【請求項３】
前記マイクロ波共振器としてサンプルの一面側のみに配置された複数個の矩形誘電体共振器を、それらの共振器の長辺方向がそれぞれ異なる方向（θ）を向くように同一平面上に配置し、
前記方向（θ）を角度θとしそれらの共振器の共振周波数シフト量Δｆ1〜Δｆnをｒとして、角度をθ、原点からの距離をｒとする極座標（ｒ，θ）上にプロットし、楕円近似処理により楕円を描き、その楕円の面積と同面積の円の半径Δｆｒを求めて、そのΔｆｒを請求項１中のΔｆとし、
それらの共振器のピークレベル変化量ΔＰ1〜ΔＰnを求め、次の（Ａ）から（Ｃ）のいずれかのΔＰｒを請求項１中のΔＰとする請求項１又は２に記載の坪量・水分量測定方法。
（Ａ）ΔＰ1〜ΔＰnのいずれかからなるΔＰｒ。
（Ｂ）ΔＰ1〜ΔＰnの平均値からなるΔＰｒ。
（Ｃ）前記方向（θ）を角度θとしΔＰ1〜ΔＰnをｒとして、角度をθ、原点からの距離をｒとする極座標（ｒ，θ）上にプロットし、楕円近似処理により楕円を描き、その楕円の面積と同面積の円の半径として求めたΔＰｒ。
【請求項４】
マイクロ波共振器（１００）と、
前記共振器に電界ベクトルを発生させるマイクロ波用励振装置（１０２）と、
前記共振器（１００）による透過エネルギー又は反射エネルギーを検出する検出装置（１０４）と、
前記検出装置（１０４）からサンプルがない状態とサンプルがある状態での前記マイクロ波共振器（１００）の共振周波数とその共振周波数位置でのピークレベルを取り込み、サンプルの坪量と水分量を算出するデータ処理装置（１０６）とを備えており、
前記データ処理装置（１０６）は
前記検出装置（１０４）から取り込んだ前記共振周波数と前記ピークレベルからそれぞれ共振周波数シフト量Δｆとピークレベル変化量ΔＰを算出するΔｆ・ΔＰ算出部（１０８）と、
坪量又は水分量の異なる複数の標準サンプルを前記マイクロ波共振器（１００）により測定したときに前記Δｆ・ΔＰ算出部（１０８）から得られるΔｆ及びΔＰを用い、それらの標準サンプルを別途測定して得られる絶乾坪量をＶ１／βとし水分量をＶ２／γとして、請求項１中の（３），（４）式の関係においてＫｆ及びＫｐの分散値が所定値より小さくなるときのε’１、ε’２、ε”１及びε”２を求めて各定数Ｋｆ、Ｋｐ、ε’１、ε’２、ε”１及びε”２を決定する第１定数決定手段（１１２）と、
前記第１定数決定手段（１１２）により決定された定数Ｋｆ、Ｋｐ、ε’１、ε’２、ε”１及びε”２、並びに比例定数β及びγを記憶した定数記憶部（１１４）と、
前記定数記憶部（１１２）に記憶された定数Ｋｆ、Ｋｐ、ε’１、ε’２、ε”１及びε”２と、前記マイクロ波共振器（１００）によりサンプルを測定したときに前記Δｆ・ΔＰ算出部（１０８）から得られるΔｆ及びΔＰとを用い、請求項１中の（３），（４）式に基づいてＶ1とＶ２を算出するＶ１・Ｖ２算出部（１１６）と、
前記マイクロ波共振器（１００）によりサンプルを測定したときに前記Ｖ１・Ｖ２算出部（１１６）から得られるＶ１及びＶ２と前記定数記憶部（１１４）に記憶されている比例定数β及びγとから請求項１中の（５），（６）式に基づいて絶乾坪量と水分量を算出する絶乾坪量・水分量算出部（１２０）と、を備えている坪量・水分量測定装置。
【請求項５】
前記絶乾坪量・水分量算出部（１２０）で得られた絶乾坪量と水分量から請求項２中に記載された式に基づいて風乾坪量と水分率を算出する風乾坪量・水分率算出部（１２２）をさらに備えている請求項４に記載の坪量・水分量測定装置。
【請求項６】
前記マイクロ波共振器はサンプルの一面側のみに配置される複数個の矩形誘電体共振器であって、それらの共振器の長辺方向がそれぞれ異なる方向（θ）を向くように同一平面上に配置されたものであり、
前記Δｆ・ΔＰ算出部（１０８）は請求項３に記載されたΔｆｒとΔＰｒを算出するものであり、
前記絶乾坪量・水分量算出部（１２０）は前記Δｆ・ΔＰ算出部（１０８）により算出されたΔｆｒとΔＰｒを用いて演算を行うものである請求項４又は５に記載の坪量・水分量測定装置。
【発明の詳細な説明】
【技術分野】
【０００１】
本発明は、シート状物質、特に紙シートの坪量（１平方メートル当たりの重量）及び水分量をオンラインで測定する方法と装置に関するものである。
【背景技術】
【０００２】
紙の製造工程において、坪量（１平方メートル当たりの重量）及び水分率をオンラインで測定することは非常に重要であり、坪量は紙の品質上及び商取引上の重要な管理項目となっている。従来、ＢＭ計(Basis Weight & Moisture Measurement System)を用い、紙の坪量はβ線の透過減衰量から、紙の水分は近赤外線の吸収量から求めるのが一般的である。ＢＭ計による坪量測定値は最も信頼性が高いとされている。【０００３】
坪量を測るには、Ｋｒ８５（クリプトン）又はＰｍ１４７（プロメシューム）などの放射線源から得られるβ線を用いている。坪量が大きいとβ線の減衰量が大きく、坪量が小さいと減衰量が小さいため、β線の透過量と坪量とは反比例に近い関係にある。坪量を正確に求めるには、β線の透過量と坪量との関係を示す検量線が用いられる。【０００４】
水分を測る近赤外線としては、通常、基準光、測定光及び補正光の３種類が用いられている。基準光は波長が１.８μｍであり、この波長光は水分により減衰しない。測定光は波長が１.９μｍであり、この波長光は水分により減衰する。補正光は波長が２.１μｍであり、この波長光はセルロースによる影響を受けない。水分による測定光の減衰量と水分量との関係を予め検量線として調べておくことによって、正確な水分量が求められる。【０００５】
従来のＢＭ計の坪量測定においてはβ線を用いるため、線源としてクリプトン８５又はプロメシューム１４７などの放射線源を用いなければならない。放射線源は人体に悪影響を及ぼす可能性がある。そのため、測定時には線源に近づかないように立入り禁止区域を設け、また近辺で作業する機会の多い人にはフィルムバッチの携帯を義務付け、浴びた放射線量を定期的にチェックしなければならない。また、放射線を取り扱うことができる主任技術者を配置する必要があり、放射線の取扱いに十分な注意と専門知識が要求される。【０００６】
放射線源を用いることによるこのような課題を回避する方法として、本発明者らは放射線を使用しないで紙などのシート状物質の坪量及び水分を測定する方法を提案している（特許文献１参照。）。その提案の方法は、マイクロ波誘電体共振器を用いて坪量と水分を同時に測定するものであり、紙の繊維配向などのサンプルの誘電的異方性をオンラインで測る装置の応用として、繊維配向以外に坪量及び水分量も同時に測定できることを示したものである。その提案の方法によれば、坪量はサンプルがないときの共振周波数とサンプルを配置したときの共振周波数との差である共振周波数シフト量から求められ、水分量はサンプルがないときの共振周波数でのピークレベルとサンプルを配置したときの共振周波数でのピークレベルとの差である共振ピークレベル変化量から求められる。
【先行技術文献】
【特許文献】
【０００７】
【特許文献１】特開２００６−３４９４２５号公報（米国特許第７,４２３,４３５Ｂ２号公報）
【発明の概要】
【発明が解決しようとする課題】
【０００８】
マイクロ波誘電体共振器を用いた提案の方法により坪量と水分量を同時に測定する場合、水分量が一定であれば、図１９に示すように、非常に高い測定精度で坪量が測定できることが分かった。図１９は、長尺の紙サンプルをマイクロ波誘電体共振器に対して７６０ｍ／分の速度で供給しながらオンライン測定をした結果であり、水分量を一定に保ったまま坪量が６０．０ｇ／ｍ2から４９．３ｇ／ｍ2へ変化する部分を測定したものである。【０００９】
また、水分量が一定であれば、図２０の上図に示すように、坪量の異なる種々の紙の銘柄について共振周波数シフト量とＢＭ計での坪量の測定結果との間に強い相関関係がみられる。そのため、坪量は共振周波数シフト量に係数を掛けることによって、図２０の下図に示すように、正確に測定できることが窺われる。【００１０】
しかし、誘電体共振器に限らず、空洞共振器であっても、マイクロ波共振器を用いて坪量を測定する場合には、測定された坪量の値が水分量の影響を受けることが明らかになった。例えば、図２１は誘電体共振器を用いて図１９と同様のオンライン測定により坪量と水分率を測定した場合の表示画面である。この場合は、坪量が一定の紙のサンプルであるにも拘わらず、水分率を２.７％から５.８％に変化させると坪量の測定値も変化してしまった。図２１の表示画面の坪量は共振周波数シフト量に比例するものとして算出されたもの、水分率は共振ピークレベル変化量から算出されたものである。さらに、図２１には比較のためのＢＭ計による坪量（Ｂ）と水分率（Ｍ）の測定結果も数値で表示されている。【００１１】
なお、本明細書では水分の量に関する用語として「水分率」と「水分量」を同等なものとしてともに使用している。「水分率」と「水分量」は、
水分率＝（水分量/（絶乾坪量＋水分量）×１００  （％）
（絶乾坪量は水分率が０％のときの坪量）
の関係がある。【００１２】
本発明は、マイクロ波共振器を用いて坪量を測定する際の水分量（水分率）の影響を排除して坪量を正確に測定できるようにすることを目的とするものである。
【課題を解決するための手段】
【００１３】
マイクロ波共振器を用いた坪量測定において、坪量が水分量の影響を受ける原因について検討をした結果、坪量は絶乾（水分率が０）の紙の誘電率から１を引いた値と紙の厚みとの積に比例する共振周波数シフト量から計算されており、計算上は水分による影響を考慮していないためであると考えられる。共振周波数シフト量の測定結果には、紙の絶乾部分による共振周波数シフト分に加えて、水の誘電率によって生ずる共振周波数シフト分が加算されてしまう。水は誘電率が大きく、４ＧＨｚで約８０程度もあり、共振周波数シフト量の結果に与える影響を無視できないのである。【００１４】
本発明は、この知見に基づき、水の誘電率によって生ずる共振周波数シフト分を計算によって排除することにより坪量測定値から水分の影響を排除しようとするものである。【００１５】
まず、坪量及び水分量（又は水分率）を測定する装置の概要について説明する。【００１６】
マイクロ波共振器を用いて紙の繊維配向を測定するのではなく、紙の坪量と水分量を測定する場合には、誘電率の異方性をキャンセルする必要がある。キャンセルする方法としては、例えば１個のマイクロ波共振器を使用する方法がある。マイクロ波共振器は空洞共振器であっても誘電体共振器であってもよい。この場合、空洞共振器の場合は円筒空洞共振器や球形空洞共振器などを用いて、例えば電界ベクトルがループ状になるＴＥ011モードのように、電界ベクトルがある方向に偏らない共振モードを選択する。誘電体共振器の場合は、エバネセント波の電界ベクトルがある一定方向に偏って向くのではなく、円柱型誘電体共振器を用いて四方八方に向く電界分布、又はループ状となる電界分布などの電界分布となる共振モードを選択するのが望ましいのは当然である。この場合はサンプルがないときとあるときにおける共振器によって得られる共振周波数シフト量と共振ピークレベル変化量をそのまま用いて坪量と水分量を算出することができる。【００１７】
オンラインで紙の繊維配向などのサンプルの誘電的異方性を測る装置の応用として坪量及び水分量も測定する場合には、逆にサンプルの誘電率異方性の影響を受けてしまう問題がある。誘電率はテンソルであるため方向によって値が異なるが、坪量や水分量はスカラー量であるため方向によって値が異なることはない。坪量又は水分量を測定するときにこの誘電率異方性をいかにキャンセルするかが課題である。【００１８】
サンプルの誘電的異方性を測る装置でサンプルの誘電率異方性をキャンセルする方法を説明する。図２Ａと図２Ｂに矩形のマイクロ波誘電体共振器の概観図を示す。図２Ａは平面図、図２Ｂはそのアンテナ２ａ、２ｂを通る位置での垂直断面図である。誘電体共振器１が一方のアンテナ２ａにより励振され、もう一方のアンテナ２ｂから出力を出す。共振器１やアンテナ２ａ，２ｂはシールドケース４内に収容されている。【００１９】
ほとんどの共振エネルギーは共振器１の内部に閉じ込められているが、一部はエバネセント波として表面に滲み出している。矩形の誘電体共振器の場合、共振モードを適切に選択することによって、共振器表面に沁み出した電界分布は長辺方向と平行になる。ここでは電界分布が長辺方向と平行になるそのような共振モードで使用する。エバネセント波６の電界ベクトルのほとんどすべてが平行になっていると、サンプル８の誘電率異方性、つまり配向性を測定することが可能になる。【００２０】
誘電体共振器１の上面にサンプル８を近接又は接触させて配置すると、エバネセント波６の電界ベクトル方向の誘電率に対応して図３のように共振周波数が低周波数側にシフトする。その共振周波数シフト量をΔｆとする。共振周波数シフト量はサンプルがない場合のブランク時の共振周波数からサンプルがあるときの共振周波数を引いた値と定義される。【００２１】
誘電体共振器１の上面にサンプル８を近接又は接触させて配置すると、共振周波数のシフトと同時に、サンプルの誘電損失率に対応して共振周波数位置でのピークレベルが下がる。そのピークレベル変化量をΔＰとする。ピークレベル変化量はサンプルがない場合のブランク時の共振周波数位置でのピークレベルからサンプルがあるときの共振周波数位置でのピークレベルを引いた値と定義される。サンプルの誘電率をε’、誘電損失率をε”、サンプルの厚みをＴとすると、周波数シフト量Δｆは（ε’−１）×Ｔに比例し、ピークレベル変化量ΔＰは、ε”×Ｔに比例する。【００２２】
配向性を測定する場合は、誘電率の異方性を見ればよい。そこで、複数の矩形誘電体共振器を互いに方向が異なるように配置し、各共振器における共振周波数シフト量を検知すれば、誘電率異方性がわかる。【００２３】
図４に、例えば５個の矩形誘電体共振器１ａ〜１ｅを基準方向から互いに異なる方向（θ）をもつように配置した場合のレイアウト例を示す。５個の共振器１ａ〜１ｅはなるべく近い場所を測定できるように互いに接近して配置することが好ましい。この例では、直径２００ｍｍの円内に５個の共振器１ａ〜１ｅを配置している。基準方向は任意に定めることができるが、ここでは一例としてサンプルの移動方向（ＭＤ方向）を基準方向とする。【００２４】
これに対応した配向パターンを図５に示す。これは角度をθ、原点からの距離をｒとする極座標（ｒ，θ）上に、共振器１ａ〜１ｅの方向（θ）を角度θとし、それぞれの共振器が検出した共振周波数シフト量Δｆをｒとしてプロットし、楕円近似を行ったものである。楕円の長軸方向が周波数シフト量の最大方向を示すため、この方向でサンプルの誘電率が最大となる。したがって、この方向に繊維又は分子鎖が並んでいることになる。楕円の長軸方向が配向角度（φ）である。一方、配向度は近似した楕円の長軸ａと短軸ｂの差又は比で表すことができる。【００２５】
特許文献１に記載の発明は、紙などのシート状物質の繊維配向又は分子配向を誘電率の異方性から求める方法と装置の副次的なものとして考え出されたものであり、配向測定と同時に坪量も測定できるというものである。そのために、スカラー量である坪量を測定する場合、誘電率の方向依存性が逆に障害となる。共振周波数シフト量を極座標上にプロットすると、サンプルが無配向でない場合、例えば図５のようにサンプルの誘電率方向依存性によって異なる値になる。しかし、坪量はスカラーであるため、方向依存性を有しない。【００２６】
その誘電率の異方性に起因する共振周波数シフト量の方向依存性をキャンセルする第１の方法は、複数個の共振器の共振周波数シフト量を単純に平均化処理する方法である。【００２７】
方向依存性をキャンセルする第２の方法として、図５のように共振周波数シフト量Δｆを極座標上にプロットし、楕円近似をしてできる楕円体の面積と同面積の円の半径をサンプルの誘電的異方性をキャンセルした換算シフト量Δｆｒとする方法である。例えば、シート状サンプルの一面側のみに配置された複数個の矩形誘電体共振器をその長辺方向がそれぞれ基準方向から異なる方向（θ）を向くように同一平面上に配置してそれぞれの共振器の共振周波数ｆ1〜ｆnを測定し、あるサンプルについて各矩形誘電体共振器の共振周波数シフト量Δｆ1〜Δｆnを求める。シフト量Δｆ1〜Δｆnは、先に定義したように、サンプルがない場合の共振周波数ｆ0とサンプルがある場合の各矩形誘電体共振器の共振周波数ｆ1〜ｆnとの差である。次に、角度をθ、原点からの距離をｒとする極座標（ｒ，θ）上に、前記方向（θ）を角度θとし、シフト量Δｆ1〜Δｆnをｒとしてプロットし、図５のように楕円近似処理により楕円を描き、その楕円の面積を求める。その楕円の面積と同面積の円の半径を求めると、この半径が異方性をキャンセルした共振周波数シフト量に相当する。【００２８】
以下の説明では、上記いずれかの方法で誘電的異方性をキャンセルした周波数シフト量Δｆが得られたという前提で記述する。【００２９】
（基本的な考え方）
マイクロ波共振器を用いると、サンプルの有無により図３のように共振周波数シフト量Δｆと共振ピークレベル変化量ΔＰが現れる。サンプルの厚みをＴとすると、共振周波数シフト量Δｆは（（誘電率-１）×Ｔ）に比例し、共振ピークレベル変化量ΔＰは（誘電損失率×Ｔ）に比例する。この原理は、特許文献１にも記載されているように摂動理論から導き出されるものである。
図６のように紙を絶乾部分と水とに分離したモデルを考え、測定している絶乾部分の体積をＶ１、水の体積をＶ２とすると、この原理に基づいて以下の式が成立する。
Δｆ＝Ｋｆ（Ｖ１・ε’１＋Ｖ２・ε’２）    （１）
ΔＰ＝Ｋｐ（Ｖ１・ε”１＋Ｖ２・ε”２）    （２）
ここで、Δｆ：共振周波数シフト量、
ΔＰ：共振ピークレベル変化量、
Ｖ１：ある一定条件における絶乾の紙の体積、
Ｖ２：ある一定条件における水の体積、
Ｋｆ：ディメンジョンを合わせるための比例定数、
Ｋｐ：ディメンジョンを合わせるための比例定数、
ε’１：絶乾の紙の誘電率−１、
ε’２：水の誘電率、
ε”１：絶乾の紙の誘電損失率、
ε”２：水の誘電損失率（周波数、束縛の程度、温度によっても変わる）【００３０】
Ｖ１は絶乾坪量に比例した値、Ｖ２は水分量に比例した値である。（１）式は、共振周波数シフト量は紙の絶乾部分の誘電率によるものと水の誘電率によるものとの和になることを示している。同様に、（２）式はピークレベル変化量ΔＰが、紙の絶乾部分の誘電損失率によるものと水の誘電損失率によるものとの和になることを示している。【００３１】
Ｋｆ及びＫｐは装置に起因する比例定数であり、一定値である。Ｋｆ及びＫｐはまた、ディメンジョンの変換及び測定面積の規定も兼ねている。【００３２】
（１）（２）式から、Ｖ１、Ｖ２について解くと、以下の式が得られる。
Ｖ１＝（Δｆ・ε”２／Ｋｆ−ΔＰ・ε’２／Ｋｐ）/（ε’１・ε”２−ε”１・ε’２）
（３）
Ｖ２＝（Δｆ・ε”１／Ｋｆ−ΔＰ・ε’１／Ｋｐ）/（ε”１・ε’２−ε’１・ε”２）
（４）
【００３３】
ここで、ε’１、ε’２、ε”１、ε”２は物質定数であるが、本発明ではこれらの定数もＫｆ及びＫｐとともに装置定数として決定する方法をとる。具体的には、定数Ｋｆ、Ｋｐ、ε’１、ε’２、ε”１及びε”２は以下のステップＡ及びＢにより決定する。【００３４】
（ステップＡ）坪量又は水分量の異なる複数の標準サンプルについて、マイクロ波共振器を用いた測定装置により共振周波数シフト量Δｆとピークレベル変化量ΔＰを測定し、ＢＭ計により絶乾坪量（ＢＤ）と水分量（ＷＴ）を測定する。
Ｖ１，Ｖ２と絶乾坪量（ＢＤ）、水分量（ＷＴ）との間には次の関係がある。
絶乾坪量（ＢＤ）＝β・Ｖ１    （５）
水分量（ＷＴ）＝γ・Ｖ２      （６）
ここで、β、γは比例定数である。βは絶乾状態の紙の比重であり、予め求めておく。一例として、β＝０.８５とする。γは水の比重であり、γ＝１とすることができる。【００３５】
（ステップＢ）ステップＡで得られたＢＭ計による絶乾坪量（ＢＤ）を用いてＶ１＝ＢＤ／βとし、水分量（ＷＴ）を用いてＶ２＝ＷＴ／γとして、ステップＡで得られたΔｆとΔＰを用い、（３），（４）式の関係においてＫｆ及びＫｐの分散値が所定値より小さくなるときのε’１、ε’２、ε”１及びε”２を求める。γ＝１として、Ｖ２＝ＷＴとしてもよい。【００３６】
ここで、（３），（４）式は（１），（２）式から導かれたものであるので、（３），（４）式の関係は（１），（２）の関係と同じことである。【００３７】
定数Ｋｆ、Ｋｐ、ε’１、ε’２、ε”１及びε”２の決定方法の好ましい形態として、定数ε’１、ε’２、ε”１及びε”２を適当な制約条件のもとで変化させながらＫｆとＫｐを算出し、測定した全ての標準サンプルについてＫｆ及びＫｐの分散値が所定値より小さくなるときのＫｆ、Ｋｐ、ε’１、ε’２、ε”１及びε”２の組合せをその測定装置についての最適な装置定数とする。【００３８】
定数Ｋｆ、Ｋｐ、ε’１、ε’２、ε”１及びε”２を決定する作業は測定装置ごとに行う。より正確な測定結果を得るためには、その定数決定作業はサンプルの種類、すなわち銘柄が変わればその銘柄の標準サンプルを複数用意して定数Ｋｆ、Ｋｐ、ε’１、ε’２、ε”１及びε”２を決定する作業を改めて行うのが好ましい。【００３９】
定数ε’１、ε’２、ε”１及びε”２を変化させながらＫｆとＫｐをそれぞれの分散値が所定値より小さくなるように収束させる作業は、コンピュータ上で適当なプログラムを使用することにより実行することができる。そのようなプログラムの一例として、「ソルバー」（マイクロソフト社製表計算ソフト「エクセル」の機能の１つ）と称されるプログラムを使用することができる。その「ソルバー」を使用して定数Ｋｆ、Ｋｐ、ε’１、ε’２、ε”１及びε”２を決定する際の制約条件を次のように設定する。【００４０】
（１）絶乾の紙の誘電率ε’１：
誘電率ε’１そのものを測定するのは難しいため、セルロースの分子構造と添加された無機物（タルクなど）から判断して、以下の範囲に入っているものとする。
１．０＜ε’１＜２０．０【００４１】
（２）絶乾の紙の誘電損失率ε”１：
誘電損失率ε”１そのものを測定するのは難しいため、種々の高分子材料の誘電損失率から判断して、以下の範囲に入っているものとする。
０＜ε”１＜１．０【００４２】
（３）水の誘電率ε’２：
何の束縛もないフリーの水（自由水）の誘電率は、誘電分散により温度及び周波数によって変化するが、常温で４ＧＨｚでは概ね８０程度である。しかし、食品やセメントなどの内部に入り込んだ水は結合水や束縛水とも呼ばれ、水分子の周囲からの束縛のされ方にもよるが、一般的には外部電界に対して十分に分極（交番）できないため誘電率は下がる。そこで、水の誘電率ε’２は以下の範囲に入っているものとする。
１．０＜ε’２＜８０【００４３】
（４）水の誘電損失率ε”２：
自由水の場合、誘電損失率のピークは概ね２０ＧＨｚ（常温）にあり、そのときの値は３４程度であるが、束縛水となると、周囲の状況にもよるが概ね２桁程度ピーク周波数が低周波数側にシフトする。従って、４ＧＨｚでの束縛水の誘電損失率は誘電損失率の周波数分散カーブの右肩に相当し、３４からかなり小さくなる。そこで、水の誘電損失率ε”２は以下の範囲に入っているものとする。
０＜ε”２＜１５【００４４】
（５）装置固有の比例定数ＫｆとＫｐは種々の実測データから求めてプロットした場合、本来は一定値なのでグラフ上の１点に集中するべきものである。その収束条件として、Ｋｆ及びＫｐの分散が以下の条件を満たしたときにＫｆとＫｐが一定値に収束したものとする。
Ｋｆの分散＜０．１
Ｋｐの分散＜０．０００１【００４５】
Ｋｆ及びＫｐの分散値に関するこれらの数値が本発明でのＫｆ及びＫｐの分散値に関する「所定値」であり、予め設定しておく。この所定値は大きく設定すると定数を決めるための処理時間が短くてすむが、結果として得られる坪量と水分量の精度が低下する。逆にこの所定値は小さく設定すると得られる坪量と水分量の精度がよくなる反面、定数を決めるための処理時間が長くなる。得られる坪量と水分量の精度をみながら適当な大きさの「所定値」を設定する。【００４６】
以上の制約条件の下で（１）式と（２）式に「ソルバー」を使用して定数Ｋｆ、Ｋｐ、ε’１、ε’２、ε”１及びε”２を決定する。【００４７】
３８個の種々の紙サンプルについて、Ｋｆ、Ｋｐが上記（５）の条件を満たすような物質定数ε’１、ε’２、ε”１及びε”２の組合わせを求めたところ、次のようになった。
ε’１（絶乾の紙の誘電率−１）＝４．０
ε’２（水の誘電率）＝２９．９５
ε”１（絶乾の紙の誘電損失率）＝０．２１０
ε”２（水の誘電損失率）＝９．７１【００４８】
また、このときのＫｆ、Ｋｐのプロットは図７のようになり、ほぼ一定値に集中することがわかった。この場合のＫｆとＫｐはそれぞれの平均値として、
Ｋｆ＝１０．８４３
Ｋｐ＝０．１１９１
となった。【００４９】
このように決定された定数Ｋｆ、Ｋｐ、ε’１、ε’２、ε”１及びε”２を用いると、測定対象試料について測定した共振周波数シフト量Δｆとピークレベル変化量ΔＰから（３），（４）式によりＶ１，Ｖ２が求められるので、（５），（６）式を用いて測定対象のサンプルの絶乾坪量（ＢＤ）と水分量（ＷＴ）が計算で求められる。【００５０】
また、風乾坪量及び水分率は以下の式によって求められる。
風乾坪量＝絶乾坪量（ＢＤ）＋水分量（ＷＴ）  （ｇ/ｍ2）      （７）
水分率＝（水分量（ＷＴ）/風乾坪量）×１００  （％）  （８）【００５１】
定数Ｋｆ、Ｋｐ、ε’１、ε’２、ε”１及びε”２は装置定数として決定されるものであるため、測定装置ごとに決定する必要がある。上記の数値は測定を行ったこの装置に特有のものであり、他の測定装置では異なった数値となるものである。【００５２】
本発明の坪量・水分量測定方法は、マイクロ波共振器を用い、以下のステップＳ１からＳ６によって紙シートからなるサンプルの坪量及び水分量を算出する方法である。
（ステップＳ１）
サンプルがないときのマイクロ波共振器における共振周波数と共振ピークレベルを求めるステップ。
（ステップＳ２）
サンプルを測定したときの前記マイクロ波共振器における共振周波数と共振ピークレベルを求めるステップ。
（ステップＳ３）
ステップ１で求めた共振周波数からステップ２で求めた共振周波数との差として共振周波数シフト量Δｆを求めるステップ。
（ステップＳ４）
ステップＳ１で求めた共振ピークレベルからステップＳ２で求めた共振ピークレベルとの差としてピークレベル変化量ΔＰを求めるステップ。
（ステップＳ５）
定数Ｋｆ、Ｋｐ、ε’１、ε’２、ε”１及びε”２の決定された（３），（４）式を用いて、Ｖ１及びＶ２を求めるステップ。
（ステップＳ６）
（５），（６）式を用いて、絶乾坪量及び水分量を求めるステップ。【００５３】
好ましい形態では、さらに、以下の式を用いて、風乾坪量及び水分率まで求める。
風乾坪量＝絶乾坪量＋水分量
水分率＝水分量×１００/風乾坪量【００５４】
サンプルの誘電的異方性を測る装置で本発明の坪量・水分量測定方法を実施する場合は、マイクロ波共振器としてサンプルの一面側のみに配置された複数個の矩形誘電体共振器を、それらの共振器の長辺方向がそれぞれ異なる方向（θ）を向くように同一平面上に配置する。そして、方向（θ）を角度θとしそれらの共振器の共振周波数シフト量Δｆ1〜Δｆnをｒとして、角度をθ、原点からの距離をｒとする極座標（ｒ，θ）上にプロットし、楕円近似処理により楕円を描き、その楕円の面積と同面積の円の半径Δｆｒを求めて、そのΔｆｒを（３），（４）式中のΔｆとする。また、それらの共振器のピークレベル変化量ΔＰ1〜ΔＰnを求め、次の（Ａ）から（Ｃ）のいずれかのΔＰｒを（３），（４）式中のΔＰとする。
（Ａ）ΔＰ1〜ΔＰnのいずれかからなるΔＰｒ。
（Ｂ）ΔＰ1〜ΔＰnの平均値からなるΔＰｒ。
（Ｃ）前記方向（θ）を角度θとしΔＰ1〜ΔＰnをｒとして、角度をθ、原点からの距離をｒとする極座標（ｒ，θ）上にプロットし、楕円近似処理により楕円を描き、その楕円の面積と同面積の円の半径として求めたΔＰｒ。【００５５】
本発明の坪量・水分量測定装置は、好ましい形態を表わす図１に示されるように、マイクロ波共振器（１００）と、前記共振器に電界ベクトルを発生させるマイクロ波用励振装置（１０２）と、前記共振器（１００）による透過エネルギー又は反射エネルギーを検出する検出装置（１０４）と、前記検出装置（１０４）からサンプルがない状態とサンプルがある状態での前記マイクロ波共振器（１００）の共振周波数とその共振周波数位置でのピークレベルを取り込み、サンプルの坪量と水分量を算出するデータ処理装置（１０６）とを備えている。【００５６】
データ処理装置（１０６）はΔｆ・ΔＰ算出部（１０８）、第１定数決定手段（１１２）、
定数記憶部（１１４）、Ｖ１・Ｖ２算出部（１１６）、及び絶乾坪量・水分量算出部（１２０）を備えている。【００５７】
Δｆ・ΔＰ算出部（１０８）は検出装置（１０４）から取り込んだ共振周波数とピークレベルからそれぞれ共振周波数シフト量Δｆとピークレベル変化量ΔＰを算出するものである。【００５８】
第１定数決定手段（１１２）は、坪量又は水分量の異なる複数の標準サンプルをマイクロ波共振器（１００）により測定したときにΔｆ・ΔＰ算出部（１０８）から得られるΔｆ及びΔＰを用い、それらの標準サンプルをＢＭ計（１１０）により測定して得られる絶乾坪量（ＢＤ）をＶ１／βとし水分量（ＷＴ）をＶ２／γとして、（３），（４）式の関係（（１），（２）式の関係と同じ。）においてＫｆ及びＫｐの分散値が所定値より小さくなるときのε’１、ε’２、ε”１及びε”２を求めて各定数Ｋｆ、Ｋｐ、ε’１、ε’２、ε”１及びε”２を決定するものである。【００５９】
定数記憶部（１１４）は、第１定数決定手段（１１２）により決定された定数Ｋｆ、Ｋｐ、ε’１、ε’２、ε”１及びε”２、並びに予め設定された比例定数β及びγを記憶している。【００６０】
Ｖ１・Ｖ２算出部（１１６）は、定数記憶部（１１２）に記憶された定数Ｋｆ、Ｋｐ、ε’１、ε’２、ε”１及びε”２と、マイクロ波共振器（１００）によりサンプルを測定したときにΔｆ・ΔＰ算出部（１０８）から得られるΔｆ及びΔＰとを用い、（３），（４）式に基づいてＶ1とＶ２を算出するものである。【００６１】
絶乾坪量・水分量算出部（１２０）は、マイクロ波共振器（１００）により測定対象のサンプルを測定したときにＶ１・Ｖ２算出部（１１６）から得られるＶ１及びＶ２と定数記憶部（１１４）に記憶されている比例定数β及びγとから（５），（６）式に基づいて絶乾坪量と水分量を算出するものである。【００６２】
好ましい形態では、絶乾坪量・水分量算出部（１２０）で得られた絶乾坪量と水分量から請求項２中に記載された式に基づいて風乾坪量と水分率を算出する風乾坪量・水分率算出部（１２２）をさらに備えている。【００６３】
サンプルの誘電的異方性を測る装置を兼ねている場合は、マイクロ波共振器はサンプルの一面側のみに配置される複数個の矩形誘電体共振器であって、それらの共振器の長辺方向がそれぞれ異なる方向（θ）を向くように同一平面上に配置されたものであり、Δｆ・ΔＰ算出部（１０８）は異方性がキャンセルされたΔｆｒとΔＰｒを算出するものであり、絶乾坪量・水分量算出部（１２０）はΔｆ・ΔＰ算出部（１０８）により算出され異方性がキャンセルされたΔｆｒとΔＰｒを用いて演算を行うものである。
【発明の効果】
【００６４】
本発明によれば、マイクロ波共振器を用いて紙などのシート状物質の坪量及び水分量（水分率）を測定する際に、坪量と水分の測定値がお互いに影響されることなく、別々に分離して測定できることが確認され、放射線を使用せず、安全に測定できる。
【図面の簡単な説明】
【００６５】
【図１】坪量・水分量測定装置の好ましい形態を示すブロック図である。
【図２Ａ】一実施例で使用する誘電体共振器を示す平面図である。
【図２Ｂ】同共振器の垂直断面図である。
【図３】サンプルの有無による誘電体共振器における共振カーブの変化を示す波形図である。
【図４】５個の誘電体共振器を配置した配向計測定部の一例を示す平面図である。
【図５】図４に示した５個の誘電体共振器から得られた配向パターンの一例を示す図である。
【図６】水分モデルを示す断面図である。
【図７】最適化されたときの物質定数を用いて求めた定数Ｋｆ，Ｋｐを示すグラフである。
【図８】５個の誘電体共振器からの信号を処理する回路を示すブロック図である。
【図９】図８のブロック図における信号処理を示すタイムチャートである。
【図１０】図８の回路中の一つの誘電体共振器についての信号処理回路を詳細に示すブロック図である。
【図１１】Δｆｒを求める手順を示すフローチャートである。
【図１２】ΔＰｒを求める手順を示すフローチャートである。
【図１３】定数Ｋｆ、Ｋｐ、ε’１、ε’２、ε”１及びε”２を決定する手順を示すフローチャートである。
【図１４】サンプル測定動作の一例を示すフローチャートである。
【図１５】坪量が一定で水分量を変化させたサンプルを実施例の装置で測定した場合の坪量測定結果を示すグラフである。
【図１６】同サンプルを実施例の装置で測定した場合の水分量測定結果を示すグラフである。
【図１７】水分率が一定で坪量を変化させたサンプルを実施例の装置で測定した場合の坪量測定結果を示すグラフである。
【図１８】同サンプルを実施例の装置で測定した場合の水分率測定結果を示すグラフである。
【図１９】水分率が一定の場合のマイクロ波誘電体共振器を用いた坪量測定結果の一例を示す図である。
【図２０】マイクロ波誘電体共振器を用いた坪量測定結果とＢＭ計での測定結果との相関関係を示すグラフである。
【図２１】水分率を変化させたときのマイクロ波誘電体共振器を用いた坪量測定結果を示す図である。
【発明を実施するための形態】
【００６６】
測定装置の具体例を示す。これはサンプルの誘電的異方性を測る装置で本発明を実現する実施例である。５個の誘電体共振器１ａ〜１ｅを配置し、図８のブロック図で示す信号処理回路を用いて、図９に示すタイムチャートに基づいて信号を処理して共振周波数と共振ピークレベルを測定する。
【００６７】
マイクロ波発振手段の一つであるマイクロ波スイーパ発振器２１から出た信号を、アイソレータ２２ａ〜２２ｅを介して誘電体共振器１ａ〜１ｅに分配している。各共振器１ａ〜１ｅからの出力はそれぞれの検波ダイオード２３ａ〜２３ｅで電圧に変換され、それぞれの増幅及びＡ／Ｄ変換回路部２４ａ〜２４ｅを通ってそれぞれのピーク検出及び平均化処理回路部２５ａ〜２５ｅに入る。
【００６８】
共振周波数の測定は次のように行われる。図９に示したようにマイクロ波スイーパ発振器２１が周波数を掃引する。例えば周波数を、４ギガヘルツを中心に１０ｍｓｅｃで２５０ＭＨｚ掃引することによって連続的に周波数が上げられる。その周波数掃引により、ピーク検出及び平均化処理回路部２５ａ〜２５ｅではマイクロ波透過強度から共振カーブが得られる。ピーク検出及び平均化処理回路部２５ａ〜２５ｅはそのスイープ信号２１ｓからスタートパルス部分を検知して共振レベルがピークに達するまでの時間を測定し、その時間から比例計算によって共振周波数を求める。
【００６９】
この方法では、掃引開始タイミングをスイープ信号の立ち上がりであるスタートパルス部分によって検知できるため、そこからピークレベルに達するまでの時間を計測し、１０ｍｓｅｃで２５０ＭＨｚの掃引速度から計算して共振周波数が測定される。これを、例えば５０ｍｓｅｃの周期で繰り返し、２０回平均で１つの共振周波数としている。このように１回の掃引時間は１０ｍｓｅｃと非常に短く、高速で信号を増幅し、デジタル処理を行っているわけである。
【００７０】
図1０に図９に示した回路中の一つの誘電体共振器についての検出系の回路をさらに詳細に示した。他の誘電体共振器についての検出系の回路も同じである。先に説明した増幅及びＡ／Ｄ変換回路部２４ａは、一例としては増幅回路３１とＡ／Ｄコンバータ部ＬＳＩ３２からなる。増幅及びＡ／Ｄ変換回路部２４ａからのデジタル出力はピーク検出及び平均値化処理回路部２５ａに入る。ピーク検出及び平均化処理回路部２５ａは、一例としてはピーク検出ＬＳＩと平均化処理ＬＳＩからなる。ピーク検出ＬＳＩは正確に言えば共振ピークレベル検出回路ももっている。このＬＳＩにおいて共振ピーク検出として共振周波数と共振ピークレベルの両方を検出し、平均化処理ＬＳＩではスイープ毎に得られる共振周波数と共振ピークレベルの平均化処理を行っている。
【００７１】
ピーク検出及び平均化処理回路部２５ａ〜２５ｅの後段にはマイクロコンピュータ２６が接続され、各誘電体共振器検出系からの信号がマイクロコンピュータ２６に入力される。マイクロコンピュータ２６はピーク検出及び平均化処理回路部２５ａ〜２５ｅからの共振周波数と共振ピークレベルをまとめて後段のパーソナルコンピュータ２７に送信する。マイクロコンピュータ２６はまた、各増幅及びＡ／Ｄ変換回路部２４ａ〜２４ｅ、ピーク検出及び平均化処理回路部２５ａ〜２５ｅを誘電体共振器系毎に制御して動作させるための制御機能ももっている。
【００７２】
パーソナルコンピュータ２７はマイクロコンピュータ２６からの出力を演算して坪量と水分量を求めてデータとして表示したり記憶したりするデータ処理装置１０６の機能を果たす。
【００７３】
ここで、図1０において、増幅及びＡ／Ｄ変換回路部２４ａにおいて増幅後の出力にはノイズによるリップルが含まれているため、増幅回路３１ではコンデンサＣ１と抵抗Ｒ２から構成されるＲＣ回路をフィードバックラインに挿入し、リップル電圧を吸収軽減し、変動の少ない直流電圧を得ている。
【００７４】
パーソナルコンピュータ２７により実現されるデータ処理装置の機能は図１に示されたものである。
【００７５】
矩形誘電体共振器を５個用いた場合についてさらに具体的に説明する。
【００７６】
図1１にΔｆｒを計算する手順を示す。
【００７７】
ブランクの共振周波数を各誘電体共振器について求め、それぞれ、ｆ01、ｆ02、ｆ03、ｆ04、ｆ05とする。
【００７８】
サンプルの共振周波数を各誘電体共振器についてもとめ、それぞれ、ｆs1、ｆs2、ｆs3、ｆs4、ｆs5とする。
【００７９】
各誘電体共振器について、共振周波数シフト量Δｆを計算し、それぞれ、Δｆ1、Δｆ2、Δｆ3、Δｆ4、Δｆ5とする。ただし、
Δｆ1＝ｆ01−ｆs1
Δｆ2＝ｆ02−ｆs2
Δｆ3＝ｆ03−ｆs3
Δｆ4＝ｆ04−ｆs4
Δｆ5＝ｆ05−ｆs5
【００８０】
５点のΔｆを極座標に表示し、楕円近似をし、楕円の面積Ｓを計算する。楕円の面積を同じ面積の円の半径ｒを求め、それを換算シフト量Δｆｒとする。
Δｆｒ＝（Ｓ／π）1/2
【００８１】
このΔｆｒが誘電率異方性をキャンセルした共振周波数シフト量である。
【００８２】
ピークレベルについては誘電率ほどの異方性はないので、サンプルの有無における１つの誘電体共振器についてのピークレベル変化量をΔＰとして採用してもよく、５つの誘電体共振器についてのピークレベル変化量の平均値をΔＰとして採用してもよい。そのようなΔＰを採用してもそれほどの誤差は生じない。しかし、さらに異方性をキャンセルしようとすれば、誘電率の異方性をキャンセルしたのと同じように行うことができる。その場合の手順を図1２に示す。
【００８３】
各誘電体共振器についてブランクの共振周波数位置でのピークレベルＰ01〜Ｐ05を測定する。各共振器についてサンプルがあるときの共振周波数位置でのピークレベルＰS1〜ＰS5を測定する。各共振器についてピークレベル変化量ΔＰ1〜ΔＰ5を求める。ΔＰ1〜ΔＰ5を極座標上に表示し、楕円近似処理により楕円の面積を求める。その楕円の面積と同面積の円の半径を求め、その円の半径をそのサンプルの誘電的異方性をキャンセルした換算ピークレベル変化量ΔＰｒとする。
【００８４】
定数Ｋｆ、Ｋｐ、ε’１、ε’２、ε”１及びε”２を決定する方法はすでに述べたが、その手順を図1３に改めて示す。
【００８５】
坪量又は水分量の異なる複数の標準サンプルについて、マイクロ波共振器を用いた測定装置により共振周波数シフト量Δｆとピークレベル変化量ΔＰを測定し、ＢＭ計により絶乾坪量（ＢＤ）と水分量（ＷＴ）を測定する。
【００８６】
次に、得られたＢＭ計による絶乾坪量（ＢＤ）をＶ１／β（βは予め設定された定数）とし、水分量（ＷＴ）をＶ２／γ（γは予め設定された定数）とし、得られたΔｆとΔＰを用い、（１），（２）式の関係又は（３），（４）式の関係においてＫｆ及びＫｐの分散値が所定値より小さくなるときのε’１、ε’２、ε”１及びε”２を求める。
【００８７】
この実施例において、絶乾坪量及び水分量、さらに風乾坪量及び水分率まで求める動作を図１４に示す。
【００８８】
定数Ｋｆ、Ｋｐ、ε’１、ε’２、ε”１及びε”２を決定するための標準サンプルを測定したマイクロ波共振器を用い、サンプルがないときのマイクロ波共振器における共振周波数と共振ピークレベルを測定しておく。その同じマイクロ波共振器によりサンプルを配置して共振周波数と共振ピークレベルを測定する（ステップＳ１）。
【００８９】
サンプル有無に関する共振周波数シフト量Δｆｒと共振ピークレベル変化量ΔＰを求める（ステップＳ２）。
【００９０】
メモリの定数記憶部１１４から定数Ｋｆ，Ｋｐ，ε’１，ε’２，ε”１及びε”２を取り込み、上記（３）、（４）式を用いて、Ｖ１及びＶ２を算出する（ステップＳ３，Ｓ４）。
【００９１】
定数記憶部１１４から定数β，γを取り込み、上記（５）、（６）式を用いて、絶乾坪量及び水分量を算出する（ステップＳ５，Ｓ６）。
【００９２】
さらに上記（７）、（８）式を用いて風乾坪量及び水分率を算出する（ステップＳ７）。
【００９３】
（測定例１）
実際の抄紙機において、強制的に水分率を２.７％から５.８％に変化させたときの上記実施例によるＶ１（絶乾坪量に該当する。）とＶ２（水分量に該当する。）の算出結果を図１５と図１６に示す。絶乾坪量はほぼ一定となり、水分量だけが増加している結果となっている。このことから、この実施例によれば、マイクロ波共振器を用いても水分の影響を除去して坪量を測定することができることがわかる。
【００９４】
（測定例２）
逆に、実際の抄紙機上において、サンプルの水分率をほぼ一定（実測値で３.０→２.９％）とし、坪量を変化（実測坪量５９.１０→７２.６４ｇ/ｍ2）させた。このときの上記実施例による測定結果を図1７と図1８に示す。この場合もサンプルの変化を忠実に反映している。
【産業上の利用可能性】
【００９５】
本発明は、紙、不織布、フィルムをはじめとするシート状物質の坪量と水分量を測定するのに利用することができる。
【符号の説明】
【００９６】
１，１ａ〜１ｅ      誘電体共振器
２ａ，２ｂ      アンテナ
６      エバネセント波
８      サンプル
２７      パーソナルコンピュータ
１００      マイクロ波共振器
１０２      マイクロ波用励振装置
１０４      検出装置
１０６      データ処理装置
１０８      Δｆ・ΔＰ算出部
１１０      ＢＭ計
１１２      第１定数決定手段
１１４      定数記憶部
１１６      Ｖ１・Ｖ２算出部
１２０      絶乾坪量・水分量算出部
１２２      風乾坪量・水分率算出部
【図１】
0005541294.tif 000002
【図２Ａ】
0005541294.tif 000003
【図２Ｂ】
0005541294.tif 000004
【図３】
0005541294.tif 000005
【図４】
0005541294.tif 000006
【図５】
0005541294.tif 000007
【図６】
0005541294.tif 000008
【図７】
0005541294.tif 000009
【図８】
0005541294.tif 000010
【図９】
0005541294.tif 000011
【図１０】
0005541294.tif 000012
【図１１】
0005541294.tif 000013
【図１２】
0005541294.tif 000014
【図１３】
0005541294.tif 000015
【図１４】
0005541294.tif 000016
【図１５】
0005541294.tif 000017
【図１６】
0005541294.tif 000018
【図１７】
0005541294.tif 000019
【図１８】
0005541294.tif 000020
【図２０】
0005541294.tif 000021
【図１９】
0005541294.tif 000022
【図２１】
0005541294.tif 000023